(57)【要約】      （修正有）【課題】容器の安定性を高めることにより、少ない力で、且つ、一度で平均的に栓をすることができるペットボトル打栓機を提供する。【解決手段】ペットボトル容器の口部に栓を装着するペットボトル打栓機１であって、ペットボトル打栓機１は、容器Ａを保持する保持台１０、栓Ｂを口部に装着する装着部２０と、装着部２０を昇降させるハンドル部３０と、からなり、保持台１０は、容器の首部を周方向から固定する挟持穴１５を備える。また保持台１０は、枠体と、枠体の上部に固定された固定板と、枠体に可動自在に装着された可動板とからなり、固定板に、容器Ａの首部半側面に配置される第１半円部を、可動板に、容器の首部半側面に配置される第２半円部を形成した。また可動板に、枠体に可動自在に連結する支持ピン１８と、枠体に保持固定するロックピン１９を設置した。さらに、ハンドル部３０にストッパ３４を装着した。【選択図】図１
0003201657.tif 000002
【実用新案登録請求の範囲】
【請求項１】
ペットボトル容器の口部に栓を装着するペットボトル打栓機であって、該ペットボトル打栓機は、容器を保持する保持台と、栓を口部に装着する装着部と、該装着部を昇降させるハンドル部と、からなり、前記保持台は、容器の首部を周方向から固定する挟持穴を備えることを特徴とするペットボトル打栓機。
【請求項２】
前記保持台は、枠体と、枠体の上部に固定された固定板と、枠体に可動自在に装着された可動板とからなる請求項１記載のペットボトル打栓機。
【請求項３】
前記固定板に、容器の首部半側面に配置される第１半円部を、前記可動板に、容器の首部半側面に配置される第２半円部を形成した請求項２記載のペットボトル打栓機。
【請求項４】
前記可動板に、枠体に可動自在に連結する支持ピンと、枠体に保持固定するロックピンを設置した請求項２又は３記載のペットボトル打栓機。
【請求項５】
前記ハンドル部にストッパを装着した請求項１乃至４のうちいずれか１項に記載のペットボトル打栓機。
【考案の詳細な説明】
【技術分野】
【０００１】  本考案は、ドレッシング用ペットボトル等の栓を、少ない力で、且つ、一度で平均的に栓をすることができるペットボトル打栓機に関する。
【背景技術】
【０００２】  容器の内部に、ドレッシング等の液体調味料等を収容させたペットボトル容器がある。かかる容器には、注ぎ口を有する栓が装着されている。それらの栓は、容器の口部に手動的に、若しくは打栓機を使用して装着される。
【先行技術文献】
【特許文献】
【０００３】  また上記打栓機に関する先行技術として、打栓に伴う瓶の破裂又は破損による危険性を低減し、安全な打栓を可能にする打栓機がある（例えば特許文献１参照）。
上掲特許文献１の打栓機は、瓶の口部に王冠を打栓するための打栓機であって、スロートを有し昇降可能に支持された打栓ヘッドと、瓶を支持する支持体と、前記スロートによって王冠の外周部を瓶の口部に締め付けさせるように前記打栓ヘッドを下降させるためのハンドルと、前記支持体上に置かれる瓶の少なくとも側面を取り囲むように配置されたカバーと、を備え、前記ハンドルは、前記カバーの外側に延びていることを特徴とする。
【特許文献１】特開２００６−１３１２８５号公報
【考案の概要】
【考案が解決しようとする課題】
【０００４】  しかしながら上掲特許文献１の打栓機は、容器を保持する瓶位置規制部がＵ字形状を呈している。そのため、瓶位置規制部に容器を装着したとき、容器の安定性が得られず、打栓の際に容器が潰れるという問題が生じた。【０００５】  そこで本考案は上記の点に鑑み、容器の安定性を高めることにより、少ない力で、且つ、一度で平均的に栓をすることができるペットボトル打栓機を提供することにある。
【課題を解決するための手段】
【０００６】  上記課題を解決するために本考案のペットボトル打栓機は、ペットボトル容器の口部に栓を装着するペットボトル打栓機であって、該ペットボトル打栓機は、容器を保持する保持台と、栓を口部に装着する装着部と、該装着部を昇降させるハンドル部と、からなり、前記保持台は、容器の首部を周方向から固定する挟持穴を備えることを特徴とする。【０００７】  また前記保持台は、枠体と、枠体の上部に固定された固定板と、枠体に可動自在に装着された可動板とからなる。【０００８】  また前記固定板に、容器の首部半側面に配置される第１半円部を、前記可動板に、容器の首部半側面に配置される第２半円部を形成した。【０００９】  また前記可動板に、枠体に可動自在に連結する支持ピンと、枠体に保持固定するロックピンを設置した。【００１０】  さらに、前記ハンドル部にストッパを装着した。
【考案の効果】
【００１１】  ペットボトル打栓機は、容器を保持する保持台と、栓を口部に装着する装着部と、該装着部を昇降させるハンドル部と、からなり、前記保持台は、容器の首部を周方向から固定する挟持穴を備えることにより、容器の安定性を高まり、少ない力で、且つ、一度で平均的に栓をすることができる。【００１２】  また前記ハンドル部にストッパを装着したことで、打栓時の微妙な力加減を調整することができる。
【図面の簡単な説明】
【００１３】
【図１】本考案のペットボトル打栓機の正面図である。
【図２】前記ペットボトル打栓機の側面図である。
【図３】可動板を開口させた状態の斜視図である。
【図４】可動板をセットした状態の斜視図である。
【図５】可動板を開口させた状態の平面図である。
【図６】可動板をセットした状態の平面図である。
【図７】容器を挟持穴内に配置させた状態の断面図である。
【図８】ペットボトル打栓機の使用状態側面図である。
【考案を実施するための形態】
【００１４】  本考案のペットボトル打栓機は、容器の安定性を高めることにより、少ない力で、且つ、一度で平均的に栓をすることができることを特徴とする。
以下、本考案のペットボトル打栓機における実施の形態を図面に基づいて説明する。
【００１５】  図示するペットボトル打栓機１は、ペットボトル容器Ａの口部ａに栓Ｂを装着するものであり、該ペットボトル打栓機１は、容器Ａを保持する保持台１０と、栓Ｂを口部ａに装着する装着部２０と、該装着部２０を昇降させるハンドル部３０とからなる。
【００１６】  保持台１０は鉄やステンレス等の素材で形成されており、正面に開口１１を有する函状に形成されている。また保持台１０の側面１２の上部は折返し部１３が形成されており、前記側面１２の後方側であって折返し部１３の上面には固定板１４ａが固定されている。
【００１７】  前記固定板１４ａの一側面には、ペットボトル容器Ａの口部ａの半周部分に配置される第１半円部１６が形成されている。また前記固定板１４ａの上面には、後述詳細の装着部２０とハンドル３０を固定する支持板４０が立設されており、該支持板４０の裏面側には、補強用の補強板４１が固定されている。
【００１８】  また特に、保持台１０の側面１２の上部であって、前記固定板１４ａの前面側には、支持ピン１８とロックピン１９を備えた可動板１４ｂが可動自在に装着されている。また前記可動板１４ｂの一側面の略中央には第２半円部１７が形成されている。
【００１９】  そのため図５及び図６に示すように、前記固定板１４ａの側面と可動板１４ｂとを係止させることで、第１半円部１６と第２半円部１７とにより、ペットボトル容器Ａの口部ａを挟持する挟持穴１５が形成される。なお、前記固定板１４ａと可動板１４ｂはステンレスで形成することが望ましい。
【００２０】  装着部２０は、前記支持板４０に固定ボルト４２により固定されている。前記装着部１０は、容器Ａの下端に設置された打栓ヘッド２１と、シリンダ２２と、それらシリンダ２２と打栓ヘッド２１とを高さ調節自在に連結するネジ軸２３とで構成されている。
【００２１】  前記ハンドル部３０は、湾曲板３３とハンドル３２とからなり、ハンドル３２を下方に引き下すことにより、図８に示すように打栓ヘッド２１が下降し、容器Ａの口部ａに栓Ｂを打栓することができる。
【００２２】  また特に、前記ハンドル部３０の適宜位置には、ストッパ３４が設置されている。ハンドル部３０にストッパ３４を設置することにより、ハンドル３２を下方に引き下した際にストッパ３４が湾曲部３３に係止され、栓Ｂの押込み過ぎや不足を調整することができる。またストッパ３４が湾曲部３３に接触した際にカチンと音がするため、操作性を向上させることができる。
【００２３】  次に、本考案における打栓機１の使用方法を説明する。
先ず、可動板１４ｂを開口させた状態で、固定板１４ａの第１半円部１６に、容器Ａの口部ａの凹溝ｂを配置させる。
【００２４】  次に、支持ピン１８を中心に可動板１４ｂを固定板１４ａ方向に回動させる。そして、ロックピン１９を折返し部１３の開孔１３ａに挿入して可動板１４ｂを固定する。この際、可動板１４ｂの第２半円部１７は、容器Ａの口部ａの凹溝ｂに配置される。このことにより、容器Ａの凹溝ｂの周囲は、第１半円部１６と第２半円部１７にて保持される。
【００２５】  容器Ａを保持した後、容器Ａの口部ａに栓Ｂを乗せ、ハンドル３２を手前側に引き下げ、打栓ヘッド２１にて栓Ｂを口部ａに装着させる。この際、ハンドル３２にはストッパ３４が設置されているため、打栓に好適な位置まで打栓ヘッド２１が下降したときにカチンと音がして打栓終了を確認することができる。
【００２６】  容器Ａの口部ａに栓Ｂを打栓した後、ハンドル３２を上昇させる。そして、可動板１４ｂのロックピン１９を抜き、支持ピン１８を中心に可動板１４ｂを開口状態に戻し、容器Ａを取り出して打栓作業を終了させる。
【００２７】  上述の如く、本考案のペットボトル打栓機１は、容器Ａの凹溝ｂの周囲に第１半円部１６と第２半円部１７が配置されるため、容器Ａが常に水平状態にセットされ、安定した打栓作業を行うことができる。
【００２８】  また、柔らかい容器であっても、浮かせた状態で打栓作業を行うことができるため、さまざまな容器に対応できる。
【００２９】  さらに、保持台１０や装着部２０、またハンドル部３０がステンレスで形成されているため、錆びにくく、オキシドール等の薬品で洗浄することが可能となり、衛生面で高い効果を発揮することができる。
【符号の説明】
【００３０】１    ペットボトル打栓機
１０  保持台
１１  開口
１２  側面
１３  折返し部
１３ａ  開孔
１４ａ  固定板
１４ｂ  可動板
１５  挟持孔
１６  第１半円部
１７  第２半円部
１８  支持ピン
１９  ロックピン
２０  装着部
２１  打栓ヘッド
２２  シリンダ
２３  ネジ軸
３０  ハンドル部
３１  ストッパ
３２  ハンドル
３３  湾曲板
３４  ストッパ
４０  支持板
４１  補強板
Ａ    容器
ａ    口部
ｂ    凹溝
Ｂ    栓
【図１】
0003201657.tif 000003
【図２】
0003201657.tif 000004
【図３】
0003201657.tif 000005
【図４】
0003201657.tif 000006
【図５】
0003201657.tif 000007
【図６】
0003201657.tif 000008
【図７】
0003201657.tif 000009
【図８】
0003201657.tif 000010